(57)【要約】      （修正有）【課題】釣り用のサルカン（結節具）が水中で浮遊が出来てサルカンの回転軸が微弱な低回転トルクでもってスムーズに回動するボールベアリング付きサルカンを提供する。【解決手段】合成樹脂製で両先端にリングＡを接続してなる釣り用サルカンＢが、リングＡを接続する回転軸４にボールベアリング６を装備して成る、ボールベアリング付きサルカンにおいて、リングＡ付きのケース体１に蓋体２を固着可能にし、個別で円板状で成るベアリング受け座５付きの回転軸４が蓋体２の側面２ａに設けた軸孔３に回動自在に貫通し、ベアリング受け座５の側面５ａと蓋体２の側面２ａとの隙間にボールベアリング６を挟んで回動を円滑にし、回転軸４の先端にはリングＡを接続するリング止め体７を結合可能な構成でなる、ボールベアリング付きサルカンにする。【選択図】図２
0003154236.tif 000002
【実用新案登録請求の範囲】
【請求項１】
合成樹脂製で両先端にリングＡを接続してなる釣り用サルカンＢが、リングＡを接続する回転軸４にボールベアリング６を装備して成る、ボールベアリング付きサルカンにおいて、リングＡ付きのケース体１に蓋体２を固着可能にし、個別で円板状で成るベアリング受け座５付きの回転軸４が蓋体２の側面２ａに設けた軸孔３に回動自在に貫通し、ベアリング受け座５の側面５ａと蓋体２の側面２ａとの隙間にボールベアリング６を挟んで回動を円滑にし、回転軸４の先端にはリングＡを接続するリング止め体７を結合可能にしたことを特徴とするボールベアリング付きサルカン。
【請求項２】
前記するベアリング受け座５の側面５ａにベアリング位置決め８を装備するか或いは、蓋体２の側面２ａに回転軸４に向け傾斜面９を設けたことを特徴とするボールベアリング付きサルカン。
【請求項３】
前記するベアリング受け座５と蓋体２の側面２ａとの間で回転軸４に緩やかに貫通する少なくとも一枚のベアリング受け座５０を設け、夫々の側面５ａの隙間にボールベアリング６を挟んだ構成にしたことを特徴とする請求項１又は２項記載のボールベアリング付きサルカン。
【請求項４】
前記する両先端に設けたリングＡを排除し、金属製或いは合成樹脂製でリングＡをケース体１に埋め込み固着し、更にリングＡ付きの回転軸４０を蓋体２の軸孔３に回動自在に貫通し、個別単体で円板状成るベアリング受け座５００に固着可能構成で、その側面５００ａと蓋体２の側面２ａとの隙間にボールベアリング６を挟み込んだことを特徴とする請求項１、２又は３項記載のボールベアリング付きサルカン。
【考案の詳細な説明】
【技術分野】
【０００１】  この考案は、釣り針の餌を水中に投げ込む際に、釣り糸に吊るされた仕掛けの用具が絡まったり、釣れた魚の逃げ周りで、釣り糸がよじれやもつれで、思いがけない糸切れで魚を逃してしまう等のトラブルを防ぎ、且つ仕掛けの用具の取り替えを簡単にする為に用いられる、釣り用サルカ（結節具）の改良に関し、更に詳しくは、合成樹脂化で軽量にし且つ、サルカン本体に具備する回転軸に掛かる魚の多様な引っ張り荷重に常時スムーズな回動の得られる、長寿命で高品質でなるボールベアリング付きサルカンの改良に関する。
【背景技術】
【０００２】  この種の従来の技術として知られるボールベアリング付きサルカンは、本体が合成樹脂製でなる分割構成で、ケース体と其のケース体の開口部に嵌め合い係合固着可能なリング付きの蓋体とで構成し、そのケース体の収納部のフラットな側面に設けた軸孔に貫通して回動する端部に設けた孔にリングを通してなる回転軸は抜け止め用円板体と共に回動する構成で、回動軸か回動する際に、これらの円板体の側面と収納部に開口する軸孔の側面との接触面に発生する摩擦抵抗を低減し、スムーズに回動するために、双方の接触隙間に、所定の大きさのボールベアリングを適当な数だけ回動自在に装備可能なスペースを設定し、これらの回転軸の端部に設けた孔にリングを通してなる、ボールベアリング付きサルカンが提供されている。（特許文献１参照）【０００３】
【特許文献１】出願番号特願２００８−３１７６６８
【考案の開示】
【考案が解決しようとする課題】
【０００４】  しかしながら、上記する従来技術でのボールベアリング付きサルカンは本体をオール合成樹脂で構成し、サルカンを軽量にすることで、水中で釣り餌の付いたハリスに接続するサルカンに浮力が働き、釣り餌の水中での動きがサルカンの影響を受けず、極自然な付け餌の動きを具現化するが、これらの合成樹脂製の回転軸の端部に金属製のリングを通す孔を開ける都合から回転軸が必然的に太くしない限り孔部の肉薄に亀裂を発生し其の部に破損が集中する等で、回転軸の太さが限りなく太くなる等で本体全体をコンパクトに出来ないばかりか、太い回転軸は軸受けの摩擦損失が大きくなる等で、回転軸のスムーズな回転を阻害してしまう等の課題がある。ここで、限りなく細い回転軸に対応してのリングの止め方が要望される。【０００５】  そしてまた、回転軸と一体化でなる円板体の側面と軸孔部の側面の隙間に挟み込んで整列されるボールベアリングは作動時に、軸孔部側面を床面として、円板体の側面に接合従動し、前後のボールベアリングが夫々押し合いなが、夫々の回転を阻害し、更には突き当たる個々のボールベアリングの回転方向が逆回転の転がり伝達を起す為、スムーズな同一回転方向の動きを阻害する等で回転の無いボールベアリングの接面を円板体が滑りながら回動しなければならないなどの課題が残る。【０００６】  そしてまた、回転軸が静止状態から回転に移るさえの立ち上がりに、ボールベアリングが不揃いに配列される為、夫々のボールベアリングが滑り悪く、且つ、停止や逆転時にもボールベアリングのスタート位置が不揃いで、起動性に難がある等の課題が残る。
【課題を解決するための手段】
【０００７】  この考案は、係る課題を解決する為に、請求項１での考案は図１で述べる様に合成樹脂製で両先端にリングＡを接続してなる釣り用サルカンＢが、リングＡを接続する回転軸４にボールベアリング６を装備して成る、ボールベアリング付きサルカンにおいて、リングＡ付きのケース体１に蓋体２を固着可能にし、個別で円板状で成るベアリング受け座５付きの回転軸４が蓋体２の側面２ａに設けた軸孔３に回動自在に貫通し、ベアリング受け座５の側面５ａと蓋体２の側面２ａとの隙間にボールベアリング６を挟んで回動を円滑にし、回転軸４の先端にはリングＡを接続する合成樹脂製のリング止め体７を結合固着可能な、ボールベアリング付きサルカンの構成とする。【０００８】  そしてまた、請求項２での考案は図２で述べる様に、前記するベアリング受け座５の側面５ａにベアリング位置決め８を装備するか或いは、蓋体２の側面２ａに回転軸に向け僅かな傾斜面９を設けた、ボールベアリング付きサルカンの構成とする。【０００９】  そしてまた、請求項３での考案は図３で述べる様に、前記するベアリング受け座５と蓋体２との間で回転軸４に緩やかに貫通する少なくとも一枚のベアリング受け座５０設け、夫々の側面５ａの隙間にボールベアリング６を挟んだ、ボールベアリング付きサルカンの構成とする。【００１０】  次にまた、請求項４での考案は図４で述べる様に、前記する両先端に設けたリングＡを排除し、金属製或いは合成樹脂製でなるリングＡをケース体１に埋め込み固着し、更にリングＡ付きの回転軸４０を蓋体２の軸孔３を回動自在に貫通し、個別で成るベアリング受け座５００に固着可能構成で、その側面５００ａと蓋体２の側面２ａとの隙間にボールベアリング６を挟み込んだ、ボールベアリング付きサルカンの構成とする。
【考案の効果】
【００１１】  本考案は、上述の通り構成作用するので、次の優れた効果を奏する。即ち、請求項１での効果は合成樹脂製でなる回転軸の端部に個別でなるリング止め体に孔を開け、リングを通して双方を一体化の構成にすることで、回転軸の軸径を限りなく細く出来る事で、軸受けの摩擦抵抗の少ない回転のし易いボールベアリング付きサルカンを提供出来る。【００１２】  また、請求項２での効果はボールベアリングを受け座に設けたベアリング位置決めに収納しての均等な配列や、或いは蓋体の側面に傾斜面付きにすることで、前後のベアリングの追突の無い、耐えず個々同一方向に転がり回転の優れた、起動性の良い、且つ、可逆反転の優れたボールベアリング付きサルカンを提供出来る。【００１３】  また、請求項３での効果はベアリング受け座を２枚にし、ベアリングを二層にし、個々のベアリングの所要負荷を低減することで、低負荷の回転に敏感に反応する精度の高いボールベアリング付きサルカンを提供出来る。【００１４】  次にまた、請求項４での効果は回転軸とリングを金属加工で一体化することで、低コストで請求項１相当の効果を具現化出来るボールベアリング付きサルカンを提供出来る。
【考案を実施するための最良の形態】
【００１５】  以下に図示の実施例に基づいて本考案を更に詳細に説明する。即ち、図１は第１実施例での一部断面での全体での分解斜視図である。リングＡはステンレス線材での金属で、其の他は全て合成樹脂製でのベアリング付きサルカンを具現化し、従来の金属製サルカンでは実現出来ない比重の小さい、いわゆる水中で浮遊の大きい、水中でふわふわしたサルカンをハリスに使う事で、最適な釣果を期待できるボールベアリングを回転軸４に採用し長寿命のある低トルクで強靭な回転軸を具備する構成とする。【００１６】  これらは、合成樹脂製例えばＰＯＭ樹脂材で、筒状ケース体１の開口部に係合固着構成でなる蓋体２は中央に回転軸４を貫通する軸受けとなる軸孔３を設け、個別で成るベアリング受け座５に回転軸４が一体化され、これらの円板状のベアリング受け座５がケース体１の中空部に収容され、片方の端子部にはネジ切りされた回転軸４が蓋体２に設けた軸孔３に程よい勘合で回動自在に貫通する構成で、ベアリング受け座５の側面５ａと其れに対向する蓋体２の側面２ａの隙間に所定の大きさで、必要な数のボールベアリング６を挟みそして、これらの回転軸４の端子部のネジ切りには合成樹脂製でなるリング止め体７の片端部に設けたメスネジが係合固着され、且つ、他方の端部に設けた孔には金属製のリングＡが抜けや脱落する事無く取り付けられた、ボールベアリング付きサルカンが構成され、リングＡ側に付加する魚の強烈な引きや変則的な動きに絶えず順応し、スムーズに回転軸が回動する構成としている。【００１７】  次に図２は第２実施例での一部要部斜視図を含む、全体の一部断面での縦断面図で、前記するベアリング受け座５の側面５ａに平面を均等に分割してなるベアリング位置決め８を、例えば本実施例ではボールベアリング６が落とし込まれその窪みで緩やかにか転がりの出来る形状にし、回転軸４と一体で回転するベアリング受け座５のボールベアリング６が蓋体２の側面２ａを床面として個々追突する事無く耐えず一方方向にスムーズにボールベアリング６が転がることで、回転軸４に接続するリング止め体７のリングＡの回動に順応する構成にし、比較的微力な魚の負荷に反応する構成で、更には、ボールベアリング受け座５の側面５ａと蓋体２の側面２ａの隙間に挟められるボールベアリング６が常時規則正しい座標に配置する為に、蓋体２の側面２ａに回転軸４に向け僅かな傾斜面を設け、ボールベアリング６を回転軸４の外周面で転がす構成にし、スムーズな低トルクでに追従可能な構成とする。【００１８】  次に図３は第３実施例での部分断面での全体の縦断面図で、前記するベアリング受け座５と蓋体２との間に回転軸４に緩やかに貫通する一枚或いは数枚のベアリング受け座５０を設け、夫々の側面５ａの隙間にボールベアリング６を挟みリングＡ側に負荷する魚の引きや絡みの度合いが小物魚から大物魚の微小回転トルクから強烈な回転トルクに順応可能なベアリング付きサルカンの構成とする。【００１９】  次にまた図４は第４実施例での全体の縦断面図で、前記する両先端に設けたリングＡを排除し、前記するケース体１の端部に金属材でネジ付きでなるリングＡをネジ止め或いは他の結合にて固着し、更にリングＡ付きでなる回転軸４０をケー��体１にネジ式等で固着可能構成での蓋体２の軸孔３に回動自在に貫通し、ケース体１の中空部に収納でなるベアリング受け座５００にネジ止め或いは他の結合にて固着し、其の側面５００ａと蓋体２の側面２ａとの隙間にボールベアリング６を挟み込み、極力回転軸４０を金属材で細い線材にし、軸孔３を貫通する軸受けの回転摩擦損失を少なくし、リングＡ側に負荷する小さな回転トルクに敏感に反応出来る構成とするが、これらのリングＡは比重を小さくする為での合成樹脂材でなる、たとえばエンプラで知られるポリカボ或いはジュラネックス等にすることも出来る。
【図面の簡単な説明】
【００２０】
【図１】  本考案に係わる第１実施例で一部断面で要部を図示しての分解斜視図である。
【図２】  本考案に係わる第２実施例で一部断面で要部を図示しての縦断面図である。
【図３】  本考案に係わる第３実施例で一部部分断面を示しての縦断面図である。
【図４】  本考案に係わる第４実施例での縦断面図である。
【符号の説明】
【００２１】Ａ          リング
Ｂ          釣り用サルカン
１          ケース体
２          蓋体
２ａ，５ａ  側面
３          軸孔
４、４０    回転軸
５、５０、５００  ベアリング受け座
６          ボールベアリング
７          リング止め体
８          ベアリング位置決め
９          傾斜面
【図１】
0003154236.tif 000003
【図２】
0003154236.tif 000004
【図３】
0003154236.tif 000005
【図４】
0003154236.tif 000006
【手続補正書】
【提出日】平成21年6月17日(2009.6.17)
【手続補正１】
【補正対象書類名】実用新案登録請求の範囲
【補正対象項目名】請求項２
【補正方法】変更
【補正の内容】
【実用新案登録請求の範囲】
【請求項２】
前記するベアリング受け座５の側面５ａにベアリング位置決め８を装備するか或いは、蓋体２の側面２ａに回転軸４に向け傾斜面９を設けたことを特徴とする請求項１記載のボールベアリング付きサルカン。